(57)【要約】【課題】給水の分岐管接続部において接続固定用として使用されるクイックファスナが施工ミスにより斜めに接続された場合には漏水の危険があった。【解決手段】給水本管に接続され、さらに複数の分岐管に分岐する配管分岐部材と、端部に継手と設けた分岐管と、前記配管分岐部材と前記分岐管の継手の各々に、接続時に当接する鍔部を有し、前記鍔部をクイックファスナの鍔当接部で挟み込み固定する接続構造において、前記配管分岐部材の前記鍔部近傍にクイックファスナ斜め接続防止壁を設けたことを特徴とする分岐管接続構造。【選択図】　図１
2004092024.tif 000002
【特許請求の範囲】
【請求項１】
給水本管に接続され、さらに複数の分岐管に分岐する配管分岐部材と、端部に継手と設けた分岐管と、前記配管分岐部材と前記分岐管の継手の各々に、接続時に当接する鍔部を有し、前記鍔部をクイックファスナの鍔当接部で挟み込み固定する接続構造において、前記配管分岐部材の前記鍔部近傍にクイックファスナ斜め接続防止壁を設けたことを特徴とする分岐管接続構造。
【請求項２】
クイックファスナ斜め接続防止壁の径が鍔部の径よりも大なることを特徴とする請求項１記載の分岐管接続構造。
【請求項３】
クイックファスナ斜め接続防止壁として配管分岐部材の分岐管と接続する端部に第二の鍔部を設けたことを特徴とする請求項１，２記載の分岐管接続構造。
【請求項４】
配管分岐部材が鋳造にて製造されていることを特徴とする請求項１〜３記載の分岐管接続構造。
【発明の詳細な説明】
【０００１】
【産業上の利用分野】
本発明は配管の接続構造に関するものである。
【０００２】
【従来の技術】
従来の住宅に設置する給水の配管分岐部材としてヘッダーを使用した場合を例として説明する。
住宅の給水システムでは敷地外より一本の給水本管が配管され、その配管から各水使用器具へ分岐配管される。本従来例は、この分岐配管の方法の一つとして、一箇所にて給水本管から各水使用器具に分岐されるヘッダーを用い、さらにはヘッダーが住宅の基礎部４（図２６）の開口部に設けられ、ヘッダーの周囲に箱状の覆いを設けたヘッダーボックスを使用したものである。
図２６はヘッダーボックス１の基礎設置状態の上面図（図２８でのＡ−Ａ断面図）、図２７はヘッダーボックスの基礎設置状態において蓋２を外した状態の上面図（図２８でのＡ−Ａ断面図）、図２８はヘッダーボックスの基礎設置状態の右側面図（図２６でのＢ−Ｂ断面図）、図２９は図２７のａ部の部分拡大図である。
【０００３】
図２７において、給水本管５から流入した水は異物除去用のフィルター６を通過することにより、配管錆等の水中の不純物が除去された後、調圧弁７を通過することで圧力が調整され、給水ヘッダー８に達する。この給水ヘッダー８には複数の分岐管を接続する分岐管接続口９が備わっており（本従来例では９個）、図２９のように各々分岐管継手１０を介して、各水使用器具へ接続されている分岐管１１に接続されている。
また、給水ヘッダー８の他端には図示しない給湯機への配管１２が接続され、この給湯機により加熱された湯が流入する給湯配管１３は給湯ヘッダー１４へ接続されており、給湯機により加熱された湯は給湯配管１３を通って給湯ヘッダー１４に流れ込む。この給湯ヘッダー１４にも給水ヘッダーと同じく分岐管接続口９を有し、各々分岐管継手１０が接続されている。ヘッダーボックス１から各水使用器具には保護管１５が配管されており、分岐管１１はその保護管１５内を通って各水使用器具まで配管され、水使用器具に接続されている。
ここで分岐管継手１０とヘッダーの分岐管接続口９との接続について説明する。図３０は図２９のＣ−Ｃ断面であり、図３１は図３０のＤ−Ｄ断面である。図３１において分岐管継手１０は一端に分岐管との接続部１８を有し、他端は円筒状の凸形状３６をしており、この内側には通水路１７が形成され、外周部には二つのＯリング１９を備えている。また、前記凸形状部の根元には全周にわたって鍔部２０を有している。
【０００４】
一方、ヘッダーの分岐管接続口９は略円筒状であり、分岐管継手１０との接続時に、分岐管継手１０の鍔部２０と当接する分岐管接続口９の鍔部１６を端部に、またＯリング１９と接するＯリング当接部２１を内面に有する。また、分岐管接続口９と分岐管継手１０との接続固定にはクイックファスナ２２が使用される。このクイックファスナの正面外観図を図３２に、図３２のＥ−Ｅ断面図を図３３に、側面図を図３４に示す。図３２においてクイックファスナ２２は弾性金属にて製作されており、両端部は図３３のように凹部２３を有している。また、この凹部２３の幅は、図３４に示すように端部４２にて最も広くなっている。分岐管接続口９と分岐管継手１０の接続時には図３１のように二つの鍔部１６、２０をこの凹部２３にて挟み込むようになっている。このように接続したときには分岐管継手１０と分岐管接続口９はＯリング１９にて水密に接続されている。このように構成することにより、給水本管５から入水した水は住宅内の各水使用器具に通水される。
【０００５】
【発明が解決しようとする課題】
しなしながら前記の構成では、クイックファスナ２２の施工時に施工不良を起こす恐れがあった。施工現場は薄暗く、施工時には接続部を黙示しにくい場合があり、そのようなときには、クイックファスナ２２が斜めに取り付けられる可能性がある。この例を説明する。まず、給水ヘッダー８に分岐管継手１０を接続した、クイックファスナ２２の取付前の状態を図３６に示す。図３６において分岐管接続口９の形状は略円筒形状で端部に鍔部１６を有しており、分岐管継手１０の鍔部２０と当接している。正しい状態ではクイックファスナ２２を取付後はクイックファスナ２２の凹部２３が前記鍔部１６、２０を挟み込む必要がある。図３７は図２９を底面から見た底面図であるが、この図３７のように鍔部１６、２０をクイックファスナ２２で挟み込んでいる。
【０００６】
次にクイックファスナ２２の誤施工状態を図３８及び図３５を用いて説明する。図３８は図３７と同じ視点で見た誤施工状態の底面図、図３５は同じく図２９と同じ視点で見た誤施工状態の上面図である。クイックファスナ２２を誤って斜めに取り付けると図３８のようにクイックファスナ２２の端部が本来であれば凹部２３で挟み込まなくてはならない鍔部１６、２０の外周面に４３のようにのりあげた状態になる。この状態で、水使用時に内部に水圧がかかると分岐管接続口９と分岐管継手１０を固定するという機能が十分に果たすことができない。このため、施工後に配管に水圧をかけて評価する耐圧検査で発見され、どの部分から漏水しているのかを確認するというたいへん手間のかかる作業が必要になる場合や、最悪の場合は耐圧検査では発見できずに居住者が入居し、使用しているうちに経年変化にて漏水が発生する恐れがあった。このため本発明ではこのクイックファスナの誤施工を防止するため、ヘッダーに斜め接続防止壁を設けるものである。
【０００７】
【課題を解決するための手段】
本発明は前記問題点を解決するため、給水本管に接続され、さらに複数の分岐管に分岐する配管分岐部材と、端部に継手と設けた分岐管と、前記配管分岐部材と前記分岐管の継手の各々に、接続時に当接する鍔部を有し、前記鍔部をクイックファスナの鍔当接部で挟み込み固定する接続構造において、前記配管分岐部材の前記鍔部近傍にクイックファスナ斜め接続防止壁を設けた。さらに、斜め接続防止壁の径が鍔部の径よりも大きくした。さらに、クイックファスナ斜め接続防止壁として配管分岐部材の分岐管と接続する端部に第二の鍔部を設けた。さらに、配管分岐部材を鋳造にて製造した。
【０００８】
【発明の実施の形態】
本発明の実施の形態１の説明を行う。図１は給水本管からの水を４本の分岐管に分岐するヘッダー３１の正面外観図であり、一つの給水本管接続口２４及び四つの分岐管接続口２５を有する。この給水本管接続口と分岐管接続口はいずれも円筒形状であり、各接続口にはクイックファスナ斜め接続防止壁として鍔部２６、５０を有する。このヘッダー３１に給水本管及び分岐管を接続した状態の正面外観図を図２に、右側面図を図３に、図３でのＦ−Ｆ断面図を図４に示す。図２において分岐管１１は分岐管継手１０を介してヘッダー３１の分岐管接続口２５に接続し、クイックファスナ２２で接続固定されている。また、給水本管２８は継手２９を介してヘッダー３１に接続されている。この継手２９の構造を図９を使用して説明する。図９は図４の給水本管接続部の部分拡大図である。この継手２９の構造は分岐管継手１０の構造と同様で図９のようにヘッダー３１とシールするための２個のＯリング１１４，１１５を有し鍔部１１６を有している。また、クイックファスナ３０によって、継手２９の鍔部１１６とヘッダー３１の鍔部１１７とを挟み固定するようになっている。
【０００９】
具体的にはクイックファスナ３０の上面外観図を図５に、正面外観図を図６に、図６でのＧ−Ｇ断面図を図８に、クイックファスナ３０取付け状態の図４のＨ−Ｈ断面を図７に示す。クイックファスナ３０はクイックファスナ２２と同様に円弧状に内側に凹部５１を有する。取付時にはこの凹部５１に継手２９の鍔部１１６とヘッダー３１の鍔部１１７を挟み込むようになっている。クイックファスナ３０の取付時はクイックファスナ３０の開口部５２（図６）から前記両鍔部１１６、１１７を挿入していく。このとき、開口部５２の幅寸法は鍔部１１６、１１７の外径寸法より大きいため、挿入時に開口部５２が押し広げられ、前記鍔部１１６、１１７及びヘッダー３１の凹部５３に擦れながら挿入される。この挿入時の摩擦抵抗を小さくするために、ヘッダー３１の鍔部１１７および凹部５３の表面は切削加工を施してある。これは、ヘッダーが従来例とは異なる鋳造のため２次加工をしない部分の表面は粗く、このままでは摩擦抵抗が非常に大きいためである。切削加工を施すことにより、寸法精度をよくし、面を滑らかにすることができる。
また、クイックファスナ３０を接続したとき、クイックファスナ３０がほぼ接する外周部にクイックファスナ斜め接続防止壁５０を設けている。これは図９のように、クイックファスナ３０の近傍にクイックファスナ斜め接続防止壁５０を設けることにより、誤って施工時にクイックファスナ３０を斜めに接続しようとするとクイックファスナ３０が干渉し、その状態では取付けることができないようにするためである。
【００１０】
次にクイックファスナ２２をヘッダー３１と分岐管継手１０に取り付ける状況を図３のクイックファスナ２２ａの場合で説明する。図１０、図１１はそれぞれ図３においてクイックファスナ２２を施工する前の状態図、及び施工途中の状態図である。まず、図１０のようにヘッダー３１と分岐管継手１０を接続した後、クイックファスナ２２ａを図１０の矢印方向に移動させ、鍔部にはめ込んでいく。このとき、クイックファスナ２２端の幅最小部１０１（図３２）はヘッダー３１の分岐管接続口２５と擦れながら挿入されていく。このため、ヘッダー鍔部１６の外周部及び凹部１０２は摩擦抵抗を小さくするため、切削加工を施し表面を整えている。図１１はクイックファスナ２２ａが途中まではめ込まれた状態であるが、このときクイックファスナの凹部最大幅部４２がクイックファスナ斜め接続防止壁２６にほぼ接している。このため、施工者が誤って斜めに組みつけようとした場合には凹部最大幅部４２とクイックファスナ斜め接続防止壁２６が干渉し、斜めに組み付けしにくいため、施工者が誤りに気付く。
【００１１】
また、図４の分岐管接続部の拡大図を図１２に示す。図１２において、クイックファスナ２２との摩擦抵抗を低減させるためヘッダー端部の鍔部１６から切削端部１０５までは外周表面に切削加工を施してある。また、内周部には２個のＯリング１０７、１０８でヘッダー３１と分岐管継手１０をシールしている。ここにおいてＯリングを２個有しているがこの理由も前述の継手２９のＯリング１１４、１１５と同じである。図１２においてＯリング１０８のヘッダー３１とのシール部位１０３は前述したヘッダー３１の切削端部１０５よりヘッダーの中央側に位置している。
【００１２】
また、図４の分岐管接続部の拡大図を図１２に示す。ここで判るように、ヘッダーの鍔部１６の外径よりクイックファスナ斜め接続防止壁２６の外径が大きくなっている。このため、無理にクイックファスナ２２を斜めに組み付けようとしても干渉が大きく、いっそう組み付けしにくくなり、より施工者に施工ミスであることを気付かせることができる。またこのクイックファスナ斜め接続防止壁２６は鍔形状であるため、分岐管接続口２５はクイックファスナ斜め接続防止壁２６の部分のみを大きくするのみでよいため、分岐管接続口２５全体を太くする必要がなく、軽くなり、そのため製造コストの低いものを製作することができる。またこのヘッダーは鋳造で製造している。このため、このヘッダーのような複雑な形状であっても問題なく製作することができる。
【００１３】
つぎに第２の実施形態として給水本管を２本の配管に分岐する例を説明する。
図１３に配管分岐部材として給水本管を二本の分岐管に分岐する分岐継手３２の正面外観図を示す。分岐継手３２は鋳造で製作されており、給水本管接続部３３及び分岐管接続部３４、３５を有しており、前記各接続部にはクイックファスナ斜め接続防止壁２６を有している。ここで給水本管接続部３３と分岐管接続部３４の内部及び端部形状は前述の本発明の実施の形態１の分岐管接続部２５と同じである。また、分岐管接続部３５は同様に本発明の実施の形態１の分岐管継手１０の円筒状凸形状３６と同じ形状である。この分岐継手３２に配管を接続した状態を図１４に示す。図１４において、給水本管接続部３３と分岐管接続部３４には給水本管２８及び分岐管１１が継手１０を介して分岐継手３２にクイックファスナ２２にて接続固定されている。このクイックファスナ２２を継手１０と分岐継手３２に接続するときにも、本発明の実施の形態１と同様に万一クイックファスナ２２が斜めに接続されようとするとクイックファスナ２２の端部がクイックファスナ斜め接続防止壁２６に当たり、容易に組み付けできず、施工者が誤りに気付く。これにより、クイックファスナが確実に傾きなく接続することができる。
【００１４】
また、分岐管接続部３５には流量調整機能を有する止水栓３７が接続される。この止水栓３７の一端には分岐継手３２と接続される第一の接続部３８を有し、他端には図示しない水使用器具の給水管４０と接続される第二の接続部３９を有する。ここで第一の接続部３８の内部形状は分岐継手３２の給水本管接続部３３と同じであり、前記第一の接続部は分岐継手３２とクイックファスナ２２にて接続固定され、第二の接続部３９は給水管４０と接続されている。このクイックファスナ２２接続時も、万一斜めに接続しようとするとクイックファスナ斜め接続防止壁２６が有効に働き、斜め接続されることはない。
【００１５】
つぎに第３の実施形態として連続鋳造棒を使用したヘッダーについて説明する。
ヘッダーの正面外観図を図１５に、上面外観図を図１６に、図１６でのＩ−Ｉ断面図を図１７に示す。またこのヘッダーを製作する際に使用する連続鋳造棒（鋳出し品）の正面外観図を図１８に、右外観図を図１９に、図１９でのＪ−Ｊ断面図を図２０に示す。図１８〜２０に示すように鋳出し品の状態では中央部に凸部１３０を有する棒状で、中央部に穴１３１が形成されている。これに切削加工を施して製作されたヘッダー１３２について図１５を使用して説明すると、穴１３１の両端部には切削加工にて形成された略円筒形状の給水本管接続部１３３及び塞ぎ蓋接続部１３４を有しており、側部には切削加工により形成された同じく略円筒形状の分岐管接続部１３５が８個設けられている。
【００１６】
次に配管の接続状態について図２１〜２４を用いて説明する。図２１はヘッダー１３２に分岐管を接続した状態の正面外観図、図２２は図２１におけるＫ−Ｋ断面図、図２３は図２２におけるＬ−Ｌ断面図、図２４は図２３のｄ部拡大図である。図２１において、ヘッダー１３２の給水本管接続部１３３に給水本管２８が継手２９を介して接続されている。また、分岐管接続部１３５には分岐管１１が分岐管継手１０を介して接続されている。この継手２９と給水本管接続部１３３との接続固定部、及び分岐管継手１０と分岐管接続部１３５との接続固定には、本発明の実施の形態１と同じくクイックファスナ１３９、３０にて行われている。また、ヘッダー１３２の他端である塞ぎ蓋接続部１３４には塞ぎ蓋１３７がクイックファスナ３０にて接続固定されている。この塞ぎ蓋１３７は図２３に示すように鍔形状を有し、２個のＯリング１３６を有している。ここでクイックファスナ１３９は本発明の実施の形態１におけるクイックファスナ２２とは側面図２５に示すように、クイックファスナ２２が有している凹部最大幅部４２を有しておらず、凹部２３の幅が全て同じになっている他はクイックファスナ２２と同じである。
【００１７】
ここで図２４において本発明の実施の形態１と同じくクイックファスナ１３９の凹部２３に分岐管継手１０の鍔部２０とヘッダー１３２の鍔部１３８を挟み込んでいるが、クイックファスナ斜め接続防止壁であるヘッダーの切削面１４０がクイックファスナ１３９とほぼ接する位置に設けられているため、クイックファスナ１３９を斜めに接続することはできない。また、クイックファスナ３０においても同じくクイックファスナ斜め接続防止壁であるヘッダーの切削面１４１がクイックファスナ３０とほぼ接する位置に設けられているため、斜めに接続することができない。また、図２１に記載のように給水本管接続部１３３と継手２９の接続部のクイックファスナ３０に対しても、同様に切削面１４１がクイックファスナ３０とほぼ接する位置に設けられており、クイックファスナ３０を斜めに接続することができない。このため、施工ミスがなく、確実に正しい位置に施工することができる。
【００１８】
尚、本発明の実施の形態１〜３ではいずれもクイックファスナ斜め接続防止壁が接続する、一方の部材であるヘッダーや分岐継手のみに備えられている場合であるが、もう一方の継手にも備えることができる。こうすることにより、クイックファスナーが継手側にものりあげる事が無く、誤施工を防ぐことができる。
【００１９】
【発明の効果】
前記のように本発明は、分岐管接続構造において給水本管に接続された複数の分岐管に分岐する配管分岐部材と、前記配管分岐部材に接続する分岐管端部に位置する継手と、前記配管分岐部材と前記継手の各々に、接続時に当接する鍔部を有し、前記鍔部をクイックファスナの鍔当接部で挟み込み固定する接続構造において、前記配管分岐部材の分岐管接続部の前記鍔当接部がほぼ接する位置に、クイックファスナ斜め接続防止壁を設けたので、万一クイックファスナを斜めに接続しようとすると斜め接続防止壁に当たり接続できないことで施工者が気付くため、誤施工がなく確実にクイックファスナを接続することができる。
【００２０】
さらに、斜め接続防止壁の径が鍔部径よりも大きくしたことにより、この壁にのりあげて斜めにクイックファスナを接続するためには、非常に大きな力を要することになり、施工者により確実に誤施工しようとしていることを知らせることができ、より確実にクイックファスナを正しく接続することができる。
【００２１】
さらに、クイックファスナ斜め接続防止壁として配管分岐部材の分岐管接続部に第二の鍔部を設けたので、分岐管接続部の鍔部以外の部分は大きくする必要はなく、部材費の低減がはかれ、また重量が小さくなるので運送費の低減や、施工性が向上する。
【００２２】
さらに、配管分岐部材を鋳造にて製造したことにより、配管分岐部材のような複雑な形状のものも一体で製作しやすく、低コストな配管分岐部材を製作することができる。
【図面の簡単な説明】
【図１】本発明の実施の形態１のヘッダーの正面外観図
【図２】本発明の実施の形態１のヘッダーに給水本管及び分岐管を接続した状態の正面外観図
【図３】本発明の実施の形態１のヘッダーに給水本管及び分岐管を接続した状態の右側面図
【図４】本発明の実施の形態１の図３でのＦ−Ｆ断面図
【図５】本発明の実施の形態１の取付板の上面外観図
【図６】本発明の実施の形態１のクイックファスナの正面外観図
【図７】本発明の実施の形態１の図４のＨ−Ｈ断面図
【図８】本発明の実施の形態１の図６のＧ−Ｇ断面図
【図９】本発明の実施の形態１の図４の給水本管接続部の部分拡大図
【図１０】本発明の実施の形態１の図３のクイックファスナ取付前状態図
【図１１】本発明の実施の形態１の図３のクイックファスナ取付途中状態図
【図１２】本発明の実施の形態１の図４の分岐管接続部拡大図
【図１３】本発明の実施の形態２の分岐継手の正面外観図
【図１４】本発明の実施の形態２の分岐継手の配管接続状態図
【図１５】本発明の実施の形態３のヘッダーの正面外観図
【図１６】本発明の実施の形態３のヘッダーの上面外観図
【図１７】本発明の実施の形態３の図１６のＩ−Ｉ断面図
【図１８】本発明の実施の形態３の連続鋳造棒の正面外観図
【図１９】本発明の実施の形態３の連続鋳造棒の右外観図
【図２０】本発明の実施の形態３の図１９でのＪ−Ｊ断面図
【図２１】本発明の実施の形態３のヘッダーに分岐管を接続した状態の正面外観図
【図２２】本発明の実施の形態３の図２１におけるＫ−Ｋ断面図
【図２３】本発明の実施の形態３の図２２におけるＬ−Ｌ断面図
【図２４】本発明の実施の形態３の図２３のｄ部拡大図
【図２５】本発明の実施の形態３のクイックファスナの側面図
【図２６】従来例のヘッダーボックスの基礎設置状態の上面図
【図２７】従来例のヘッダーボックスの基礎設置状態において蓋を外した状態の上面図
【図２８】従来例のヘッダーボックスの基礎設置状態の右側面図
【図２９】従来例のヘッダーボックスの図２７のａ部の部分拡大図
【図３０】従来例のヘッダーボックスの図２９のＣ−Ｃ断面図
【図３１】従来例のヘッダーボックスの図３０のＤ−Ｄ断面図
【図３２】従来例のクイックファスナの正面外観図
【図３３】従来例のクイックファスナのＥ−Ｅ断面図
【図３４】従来例のクイックファスナの側面図
【図３５】従来例の図２９のクイックファスナ誤施工状態図
【図３６】従来例の図２９のクイックファスナ施工前状態図
【図３７】従来例の図２９の底面図
【図３８】従来例の図３５の底面図
【符号の説明】
１　ヘッダーボックス
２　蓋
４　基礎部
５　給水本管
６　フィルター
７　調圧弁
８　給水ヘッダー
９　分岐管接続口
１０　分岐管継手
１１　分岐管
１２　給湯機への配管
１３　給湯配管
１４　給湯ヘッダー
１５　保護管
１６　鍔部
１７　通水路
１８　分岐管との接続部
１９　Ｏリング
２０　鍔部
２１　Ｏリング当接部
２２、２２ａ　クイックファスナ
２３　凹部
２４　給水本管接続口
２５　分岐管接続口
２６、５０　クイックファスナ斜め接続防止壁
２７　分岐管接続口
２８　給水本管
２９　継手
３０　クイックファスナ
３１　ヘッダー
３２　分岐継手
３３　給水本管接続部
３４　分岐管接続部
３５　分岐管接続部
３６　凸形状
３７　止水栓
３８　第一の接続部
３９　第二の接続部
４０　給水管
４１　スリット
４２　クイックファスナ凹部最大幅部
４３　クイックファスナのりあげ部
５１　凹部
５２　クイックファスナの開口部
５３　ヘッダーの凹部
１００　クイックファスナ当接部
１０１　クイックファスナ端の幅最小部
１０２　凹部
１０３　シール部位
１０５　切削端部
１０７、１０８　Ｏリング
１１２　鋳放し面
１１４，１１５　Ｏリング
１１６、１１７　鍔部
１３０　凸部
１３１　穴
１３２　ヘッダー
１３３　給水本管接続部
１３４　塞ぎ蓋接続部
１３５　分岐管接続部
１３６　Ｏリング
１３７　塞ぎ蓋
１３８　鍔部
１３９　クイックファスナ
１４０　ヘッダーの切削面
１４１　ヘッダーの切削面
１４３　鋳放し部
【図１】
2004092024.tif 000003
【図２】
2004092024.tif 000004
【図３】
2004092024.tif 000005
【図４】
2004092024.tif 000006
【図５】
2004092024.tif 000007
【図６】
2004092024.tif 000008
【図７】
2004092024.tif 000009
【図８】
2004092024.tif 000010
【図９】
2004092024.tif 000011
【図１０】
2004092024.tif 000012
【図１１】
2004092024.tif 000013
【図１２】
2004092024.tif 000014
【図１３】
2004092024.tif 000015
【図１４】
2004092024.tif 000016
【図１５】
2004092024.tif 000017
【図１６】
2004092024.tif 000018
【図１７】
2004092024.tif 000019
【図１８】
2004092024.tif 000020
【図１９】
2004092024.tif 000021
【図２０】
2004092024.tif 000022
【図２１】
2004092024.tif 000023
【図２２】
2004092024.tif 000024
【図２３】
2004092024.tif 000025
【図２４】
2004092024.tif 000026
【図２５】
2004092024.tif 000027
【図２６】
2004092024.tif 000028
【図２７】
2004092024.tif 000029
【図２８】
2004092024.tif 000030
【図２９】
2004092024.tif 000031
【図３０】
2004092024.tif 000032
【図３１】
2004092024.tif 000033
【図３２】
2004092024.tif 000034
【図３３】
2004092024.tif 000035
【図３４】
2004092024.tif 000036
【図３５】
2004092024.tif 000037
【図３６】
2004092024.tif 000038
【図３７】
2004092024.tif 000039
【図３８】
2004092024.tif 000040